(57)【要約】【課題】多数個の収納モジュールを使用者の趣向によって自由に組み立てるようにした組み立て式家具を提供すること。【解決手段】本発明の収納モジュールは、内部には収納空間が形成され、外表面には凹凸部を有し、前記凹凸部をなす各凹凸の断面は三角形の形態を有する。本発明によると、複数個の収納モジュールを積み上げることで、使用者の望む多様な形状の家具を製作することができる。【選択図】図５
2010528682.tif 000002
【特許請求の範囲】
【請求項１】
内部には収納空間が形成され、外表面には凹凸部を有し、前記凹凸部をなす各凹凸の断面は三角形の形態を有する収納モジュール。
【請求項２】
前記収納モジュールの断面は直四角形の形態であることを特徴とする、請求項１に記載の収納モジュール。
【請求項３】
前記収納モジュールは、前記収納空間を両分する対称形態の第１ブロック及び第２ブロックからなることを特徴とする、請求項１に記載の収納モジュール。
【請求項４】
前記第１ブロックと前記第２ブロックは互いに脱着可能であることを特徴とする、請求項３に記載の収納モジュール。
【請求項５】
前記第１ブロックと第２ブロックとの結合部位は、前記第１ブロックの結合溝と前記第２ブロックの結合突起によって結合されることを特徴とする、請求項４に記載の収納モジュール。
【請求項６】
前記第１ブロックと第２ブロックとの結合部位は、前記第１ブロックに形成された‘逆コ'字形突出部と、前記第２ブロックに形成された‘Ｌ'字形突出部とが互いに圧入方式で結合されることを特徴とする、請求項３に記載の収納モジュール。
【請求項７】
前記第１ブロックの結合面には少なくとも一つの固定突起が形成され、前記第２ブロックの結合面には、前記第１ブロックに形成された固定突起と結合するための結合溝が形成されることを特徴とする、請求項６に記載の収納モジュール。
【請求項８】
前記収納モジュールの断面は三角形の形態であることを特徴とする、請求項１に記載の収納モジュール。
【請求項９】
前記収納モジュールの断面は円形の形態であることを特徴とする、請求項１に記載の収納モジュール。
【請求項１０】
内部には収納空間が形成され、外表面には凹凸部を有し、凹凸部をなす各凹凸の断面は三角形の形態を有する第１収納モジュールと、
内部には収納空間が形成され、外表面には凹凸部を有し、前記凹凸部をなす各凹凸の断面は三角形の形態を有し、前記第１収納モジュールの凹凸部と凹凸結合する第２収納モジュールと、を含んで構成される組み立て式家具。
【請求項１１】
前記第１収納モジュール及び前記第２収納モジュールの収納空間の断面は直四角形であることを特徴とする、請求項１０に記載の組み立て式家具。
【請求項１２】
前記凹凸結合する第１収納モジュールの凹凸部は、前記第１収納モジュールの縁部に備わった凹凸部であることを特徴とする、請求項１１に記載の組み立て式家具。
【請求項１３】
前記凹凸結合する第１収納モジュールの凹凸部は、前記第１収納モジュールの一面に備わった凹凸部であることを特徴とする、請求項１２に記載の組み立て式家具。
【請求項１４】
前記第１収納モジュールの凹凸結合部位と、前記第２収納モジュールの凹凸結合部位とを密着させる補助固定部材をさらに含んで構成される、請求項１０に記載の組み立て式家具。
【請求項１５】
前記補助固定部材は、前記第１収納モジュールの内表面と密着する第１挿入部と、前記第２収納モジュールの内表面と密着する第２挿入部と、前記第１挿入部と前記第２挿入部とを連結する連結部と、を含んで構成される、請求項１４に記載の組み立て式家具。
【請求項１６】
前記第１挿入部と前記第２挿入部との間の距離は調節可能であることを特徴とする、請求項１５に記載の組み立て式家具。
【請求項１７】
前記第１収納モジュール及び前記第２収納モジュールの内表面の周りに沿って固定溝が形成されることを特徴とする、請求項１０に記載の組み立て式家具。
【請求項１８】
二つの平行な挿入部と、
前記挿入部の間を連結する連結部と、
前記挿入部にそれぞれ互いに対向するように形成された固定突起と、を含む補助固定部材をさらに含んで構成され、
前記固定突起は前記固定溝に挿入されることを特徴とする、請求項１７に記載の組み立て式家具。
【請求項１９】
前記第１収納モジュール及び前記第２収納モジュールの断面に沿って固定溝が形成されることを特徴とする、請求項１０に記載の組み立て式家具。
【請求項２０】
二つの平行な挿入部と、
前記挿入部の間を連結する連結部と、を含んで構成され、
前記挿入部は前記固定溝に挿入されることを特徴とする、請求項１９に記載の組み立て式家具。  
【発明の詳細な説明】
【技術分野】
【０００１】
本発明は、組み立て式家具に関するもので、より詳細には、多数個の収納モジュールを使用者の趣向によって自由に組み立てるようにした組み立て式家具に関するものである。
【背景技術】
【０００２】
既存の組み立て式家具は、組み立て完了後には分解及び再組み合わせが不可能であるので、デザイン及び使用用途を変更することができなかった。また、空間の形態、使用者の趣向や個性によって多様な形態の家具を組み立てることができなかった。
【０００３】
また、一般的な組み立て式家具は、連結溝が一定の位置のみに形成されるので、組み立て式家具の形状変更が制限的に行われるという問題点があった。すなわち、一つの収納ブロックに形成された連結溝と、他の収納ブロックに形成された連結溝とを隣接するように配置しないと組み立てが不可能であるので、定められた場合と異なる形状に組み立て式家具の形状を変更することができなかった。
【０００４】
さらに、連結ピンを連結溝から取り外す過程や、連結ピンを連結溝に挿入する過程が一般人にとっては容易でなく、特に、別途の工具を用いないと、このような解体及び再組み立てがほぼ不可能になるという問題点があった。
【０００５】
一方、収納ブロックの一部分に連結溝が形成されるので、その連結溝が形成される部位の強度が他の部位に比べて著しく低下することで、組み立て式家具の耐久性を弱化させるという問題点があった。
【発明の概要】
【発明が解決しようとする課題】
【０００６】
本発明の目的は、使用者の望む形状及び用途に簡便に家具を再構成することができる組み立て式家具を提供することにある。
【課題を解決するための手段】
【０００７】
本発明に係る収納モジュールは、内部には収納空間が形成され、外表面には凹凸部を有する。また、前記外表面に形成された凹凸部をなす各凹凸の断面は、三角形の形態を有することが好ましい。
【０００８】
前記収納モジュールの断面は直四角形（矩形）の形態であることが好ましく、前記収納モジュールは、前記収納空間を両分する対称形態の第１ブロック及び第２ブロックで構成することができる。
【０００９】
また、前記第１ブロックと前記第２ブロックは互いに脱着可能であり、この場合、前記第１ブロックと第２ブロックとの結合部位は、前記第１ブロックの結合溝と前記第２ブロックの結合突起によって結合されることが好ましい。
【００１０】
また、本発明に係る組み立て式家具は、内部には収納空間が形成され、外表面には凹凸部を有する第１収納モジュールと、内部には収納空間が形成され、外表面には凹凸部を有し、前記凹凸部が前記第１収納モジュールの凹凸部と凹凸結合する第２収納モジュールと、を含んで構成される。
【００１１】
また、前記第１収納モジュール及び前記第２収納モジュールの断面は直四角形であることが好ましい。また、前記凹凸結合する第１収納モジュールの凹凸部は、前記第１収納モジュールの縁部に備わった凹凸部であり、前記凹凸結合する第１収納モジュールの凹凸部は、前記第１収納モジュールの一面に備わった凹凸部である。
【００１２】
また、前記第１収納モジュールの凹凸結合部位と、前記第２収納モジュールの凹凸結合部位とを固定する補助固定部材をさらに含むことができ、前記補助固定部材は、前記第１収納モジュールの内表面と密着する第１挿入部と、前記第２収納モジュールの内表面と密着する第２挿入部と、前記第１挿入部と前記第２挿入部とを連結する連結部と、を含んで構成されることが好ましい。一方、前記第１挿入部と前記第２挿入部との間の距離は調節可能にすることができる。
【発明の効果】
【００１３】
本発明による組み立て式家具によると、使用者の望む形状及び用途に簡便に家具を再構成することができる。
【図面の簡単な説明】
【００１４】
【図１】本発明による収納モジュール形態の一例を示した斜視図である。
【図２】本発明による組み立て式家具に適用される補助固定部材の第１実施例を示した正面図である。
【図３】本発明による組み立て式家具の組み立て例として水平積み状態を示した正面図である。
【図４】本発明による組み立て式家具の組み立て例として他の水平積み状態を示した正面図である。
【図５】本発明による組み立て式家具の組み立て例として水平及び斜線積み（斜め積み）状態を示した正面図である。
【図６】本発明による組み立て式家具の組み立て例として縦斜線積み状態を示した正面図である。
【図７】本発明による組み立て式家具の組み立て例として水平及び縦斜線積み状態を示した正面図である。
【図８】本発明による組み立て式家具の組み立て例として水平及び縦斜線積み状態を示した正面図である。
【図９】補助固定部材を用いて２個の収納モジュールを固定する第１実施例を示した斜視図である。
【図１０】本発明による組み立て式家具に適用される補助固定部材の第２実施例を示した正面図である。
【図１１】補助固定部材を用いて２個の収納モジュールを固定する第２実施例を示した斜視図である。
【図１２】本発明による組み立て式家具に適用される補助固定部材の第３実施例を示した正面図である。
【図１３】収納モジュールにおいて第１ブロックと第２ブロックとの結合形態を示した斜視図である。
【発明を実施するための形態】
【００１５】
上述した目的、特徴及び長所は、添付された図面と関連した次の詳細な説明を通してより明確になるだろう。以下、添付された図面を参照して、本発明に係る好適な一実施例を詳細に説明する。
【００１６】
本発明の具体的な実施例を説明すると、次の通りである。
【００１７】
図１は、本発明に係る収納モジュール形態の一例を示した斜視図である。図１に示すように、本発明による組み立て式家具の収納モジュール１形態の一例として、内部に収納空間２０が形成される直六面体（あるいは正六面体）の形状に構成することができる。収納モジュール１は、木材や鉄材などでも製作可能であるが、合成樹脂材質で製造することが好ましい。
【００１８】
収納空間２０を形成するために、収納モジュール１の内部は収納のための空間を含む。一方、収納モジュールの前方及び後方のうち少なくとも一方が開放され、使用者は、収納空間２０に物を投入したり、投入した物に接近できるようになる。
【００１９】
収納モジュール１は、一体型で構成することもでき、略対称形状を有する第１ブロック１０及び第２ブロック３０で構成することもできる。第１ブロック１０及び第２ブロック３０の外表面１１には、収納モジュール１の前側から後側に直線状に延長される多数の突起が平行に配列されることで、凹凸面が形成される。一方、前側から後側に斜線状に延長される多数の突起が平行に配列されることで、凹凸面が形成されることもある。また、突起の断面形状は、図１に示すように、三角形に構成することが好ましいが、四角形、逆Ｌ字形、逆コの字形、城形状、台形状に構成することもできる。なお、逆Ｌ字形、逆コの字形、城形状とは、具体的には、それぞれ以下に示すような形状である。
【表１】
2010528682.tif 000003
【００２０】
第１ブロック１０及び第２ブロック３０の内表面３３は、外表面１１と異なり、凹凸なしに平らに形成することができる。
【００２１】
第１ブロック１０及び第２ブロック３０は、それぞれ‘逆コの字'形状を有しており、両端部が互いに結合されることで、収納モジュール１の断面は中空の直四角形状を有する。結合のために、第１ブロック１０の下側の両端部には結合突起１５が形成され、第２ブロック３０の上側の両端部には結合溝３５が形成されることが好ましい。一方、結合突起１５が結合溝３５に挿入された状態で、ピン形態またはねじ形態の結合部材２５を用いて両者を結合することができる。一方、結合突起１５と結合溝３５の圧入方式で両者を固定することもできる。
【００２２】
図１の実施例では、直六面体形態の収納モジュールを説明したが、本発明は、直六面体の収納モジュールに限定されるものでなく、外表面に結合突起を有する多様な幾何学的形状（例えば、半球形、半楕円球形、円柱形、三角柱形、多角柱形などを含む。）の収納モジュールを含む。
【００２３】
本発明による組み立て式家具は、多様な幾何学的形態を有する複数の収納モジュールを適切に組み合わせてなるが、図３乃至図８では、直六面体形態の収納モジュールを用いた組み立て式家具の例を示した。複数の収納モジュールは、自体の荷重が凹凸を通して下部モジュール側に伝達されるので、別途の固定部材なしにも多様な形態の家具を製作することができる。
【００２４】
一方、複数個の収納モジュール１を積み上げて組み立て式家具を組み立てる際、それぞれの収納モジュール１をより堅固に固定するために補助固定部材５を使用することもできる。
【００２５】
図２は、本発明による組み立て式家具の補助固定部材の形態の一例を示した正面図である。
【００２６】
図２を参照すると、組み立て式家具の補助固定部材５は、カバー部５１及び固定部５３を含む。固定部５３は、収納モジュール１の収納空間２０に挿入される二つの平行な挿入部５３ａと、両側の挿入部５３ａを連結する連結部５３ｂとを含んで構成される。挿入部５３ａは、連結部５３ｂの両端部からそれぞれ直角に延長される。連結部５３ｂの表面には、挿入部５３ａの反対側にカバー部５１が設置される。固定部５３は、二つの収納モジュール１を固定するためのもので、組み立て式家具が組み立てられた状態で荷重を下部凹凸に効果的に伝達できるようにする。カバー部５１は、固定部５３を装飾する役割をすると同時に、固定部５３の強度を補強する役割をする。カバー部５１及び固定部５３は、木材、鉄材及び合成樹脂などの多様な材質で製造することができ、カバー部５１と固定部５３とが互いに異なる材質で構成されることもある。
【００２７】
組み立て時には、使用者が補助固定部材５のカバー部５１と連結部５３ｂを手でつかんだ状態で、図５乃至図８に示すように、一側の挿入部５３ａは一つの収納モジュール１の収納空間２０に挿入し、他側の挿入部５３ａは他の一つの収納モジュール１の収納空間２０に挿入する。このとき、安定感のある結合のために、連結部材５によって連結される各収納モジュール１の内表面の間には隙間が生じないことが好ましい。
【００２８】
図２の一例では、カバー部及び固定部を有する補助固定部材を説明した。しかし、固定部のみからなる補助固定部材を使用することもできる。一方、固定部は平行な二つの平板または棒を有し、カバー部は円形の形態を有する補助固定部材を使用することもできる。
【００２９】
図３乃至図８に示すように、本発明による組み立て式家具は、多様な形態で組み立て、解体及び再組み立てが可能である。数個の収納モジュール１を積み上げることで組み立て式家具を組み当てることが可能であるが、このとき、収納モジュール１の外表面１１に凹凸が形成されるので、一つの収納モジュール１の外表面１１と他の収納モジュール１の外表面１１との間に静止摩擦力が発生する。したがって、収納モジュール１は、図３乃至図８のように多様な形態で積まれた状態で維持される。また、接触する二つの収納モジュール１の間に補助固定部材５を設置することで、収納モジュール１をより堅固に固定できるようになる。
【００３０】
図３は、本発明による組み立て式家具の組み立て例として水平積み状態を示した正面図である。図３に示すように、水平積みは、互いに異なる規格を有する多数個の収納モジュール１ａ，１ｂ，１ｃを長辺側が水平になるように配置した状態で積み上げたもので、各収納モジュール１の外表面１１に形成された各凹凸部が互いに噛み合うことで、外力及び／または自体荷重が加えられるとしても、各収納モジュール１は堅固に固定される。
【００３１】
図４は、本発明による組み立て式家具の組み立て例として他の水平積み状態を示した正面図である。本実施例では、互いに同一の規格を有する収納モジュール１を用いた。収納モジュール１から結合部材２５（図１）を除去し、結合溝３５から結合突起１５を取り出すことで、第１ブロック１０と第２ブロック３０とを分離することができる。このように分離した第１ブロック１０及び第２ブロック３０を、図１に示すように１対１に対応して噛み合うように組み立てるのでなく、一つのブロックに形成された一側の結合突起１５と他側の結合突起１５とを互いに異なるブロックに形成された結合溝３５に結合して組み立てる。それによって、図１に示すような閉鎖形態の収納モジュール１でない一線上に連続的に配置された各ブロックで構成できるようになる。このように組み立てた組み立て式家具の上面２または内表面３３に物を置いて使用することができる。
【００３２】
図５は、本発明による組み立て式家具の組み立て例として水平及び斜線積み状態を示した正面図である。多様な収納モジュール１のうち一部は、長辺が地面と水平な状態にしておき、残りの収納モジュール１は、長辺が地面と一定の角度をなすように傾斜して配置することができる。この場合にも、収納モジュール１の外側面に備わった各凹凸の凹凸結合による静止摩擦力のみで組み立て式家具の形態を維持することができる。また、収納モジュール１と収納モジュール１との間には補助固定部材５が設置され、より堅固に組み立て式家具形態を維持できるようになる。一方、凹凸結合による静止摩擦力のみで組み立て式家具の形態を維持できない形状であっても、補助固定部材を用いて組み立て式家具の形態をより多様に形成することができる。
【００３３】
補助固定部材５の一つの挿入部５３ａは、一つの収納モジュール１の内表面に密着し、対称になる他の一つの挿入部５３ａは、その収納モジュール１と隣接する収納モジュール１の内表面に密着する。したがって、補助固定部材５が二つの収納モジュール１をより堅固に固定する。図５に示した組み立て例では、各組み立てモジュールに沿って両端が当接する閉鎖形態で配置され、その中央部には空の空間９が形成される。使用者は、この空の空間９にＴＶなどの物を配置し、その周囲にその他の物などを自由に配置することで、ＴＶ収納として使用することができる。
【００３４】
本発明による組み立て式家具は、補助固定部材５が組み立て式家具をより堅固に固定するので、図６乃至図８に示すように、収納モジュール１を幾何学的形態で積み上げるようになる。このような形態の組み立て式家具を壁面に密着して設置することで、本やＣＤなどの物を保管することができる。
【００３５】
図６は、本発明による組み立て式家具の組み立て例として縦斜線積み状態を示した正面図で、図７は、本発明による組み立て式家具の組み立て例として水平及び縦斜線積み状態を示した正面図で、図８は、本発明による組み立て式家具の組み立て例として水平及び縦斜線積みを用いて人間形状に製作した状態を示した正面図である。
【００３６】
その他にも、多数個の収納モジュール１を多様な形態で配置することで、使用者の望む大きさ及び用途に組み立て式家具を自由に変形することができ、その組み立て、解体及び再組み立てが非常に簡便に行われながら、組み立て完了後には組み立て式家具が堅固に維持されるようになる。
【００３７】
上述した実施例のような構造のみならず、他の形態への変形も可能である。すなわち、収納モジュール１の外面に形成される凹凸部を、前記実施例に開示された直線形のみならず、斜線形にしたり、または、突起を延長せずに点形態の突起を多数個配置し、凹凸部を形成することもできる。
【００３８】
また、凹凸部を形成しないとしても、収納モジュール１の内部に磁石を埋め込んで磁石間の磁力によって各収納モジュールを固定したり、収納モジュール１の外側面をベルクロで構成して各収納モジュールを固定することができる。
【００３９】
また、補助固定部材５の二つの挿入部５３ａの間の距離を調節できるように構成することもできる。
【００４０】
そして、収納モジュール１を、図１に示すような開放型に構成せずに、後面は壁によって閉鎖し、前面には開閉ドアを取り付けて開閉型に構成することも可能である。
【００４１】
図９は、補助固定部材を用いて２個の収納モジュールを固定する第１実施例を示した斜視図である。
【００４２】
図９を参照すると、第１収納モジュール９１及び第２収納モジュール９２の内表面に沿って固定溝９６ａ，９６ｂ，９７ａ，９７ｂが形成される。また、図９に示すように、補助固定部材９３に形成された固定突起１０１ａ，１０２ａ（本実施例に係る補助固定部材は図１０を参照。）が固定溝９６ａ，９７ａに挿入される。したがって、第１収納モジュール９１と第２収納モジュール９２とを結合するとき、外表面に形成された凹凸部９４，９５の凹凸結合によって左右方向の滑りを防止することができ、補助固定部材９３と固定溝９６ａ，９７ａとの結合によって前後方向の滑りを防止することができる。また、弾性材質の固定部材９３を使用することで、固定部材自体の弾性によって第１収納モジュール９１と第２収納モジュール９２との間の凹凸結合にギャップが発生せず、 各収納モジュールは堅固に固定されるようになる。
【００４３】
一方、第１収納モジュール９１の内部に形成された収納空間９８に物を収納する場合、物の荷重によって第１収納モジュール９１が傾くことがある。この場合、固定部材９３を使用することで、収納モジュールの傾きによって凹凸結合が分離されることを防止することができる。
【００４４】
図１０は、本発明による組み立て式家具に適用される補助固定部材の第２実施例を示した正面図である。
【００４５】
図１０を参照すると、組み立て式家具の補助固定部材９３は、二つの平行な挿入部１０１，１０２と、二つの平行な挿入部１０１，１０２の間を連結する連結部１０３と、二つの挿入部１０１，１０２にそれぞれ互いに対向するように形成された固定突起１０１ａ，１０２ａとを含んで構成される。
【００４６】
補助固定部材の第２実施例に係る補助固定部材９３は、図９のように内表面に結合溝を備えた収納モジュールの固定に使用されることが好ましい。すなわち、補助固定部材９３の固定突起１０１ａ，１０２ａと、収納モジュール９１，９２の内表面に形成された固定溝９６ａ，９７ａとの結合によって、二つの収納モジュール９１，９２をより安定的に結合できるようになる。
【００４７】
一方、二つの収納モジュール９１，９２を結合するとき、各挿入部１０１，１０２に形成された固定突起１０１ａ，１０２ａが対向する方向に引力を作用させるために、補助固定部材９３の連結部１０３は弾性材質からなることが好ましい。一方、固定突起１０１ａ，１０２ａの大きさは、収納モジュール９１，９２の内表面に形成された固定溝９６ａ，９７ａと圧入方式で結合できる大きさを有することが好ましい。
【００４８】
図１１は、補助固定部材を用いて２個の収納モジュールを固定する第２実施例を示した斜視図である。
【００４９】
図１１を参照すると、第１収納モジュール１１１及び第２収納モジュール１１２の断面に沿って固定溝１１６ａ，１１７ａが形成される。一方、第１収納モジュール１１１及び第２収納モジュール１１２の後側断面に沿って固定溝が形成されることもある。
【００５０】
また、逆コの字形態の補助固定部材１１３が第１収納モジュール１１１及び第２収納モジュール１１２の固定溝１１６ａ，１１７ａに挿入される。したがって、第１収納モジュール１１１と第２収納モジュール１１２とを結合するとき、外表面に形成された凹凸部１１４，１１５によって左右方向の滑りを防止することができる。また、補助固定部材１１３と固定溝１１６ａ，１１７ａとの結合によって前後方向の滑りを防止することができる。また、弾性材質の固定部材１１３を使用することで、固定部材自体の弾性によって第１収納モジュール１１１と第２収納モジュール１１２との間の凹凸結合にギャップが発生せず、各収納モジュールは堅固に固定できるようになる。
【００５１】
一方、第１収納モジュール１１１の内部に形成された収納空間１１８に物を収納する場合、物の荷重によって第１収納モジュール１１１が傾くことがある。この場合、固定部材１１３を使用することで、収納モジュールの傾きによって凹凸結合が分離されることを防止することができる。
【００５２】
図１２は、本発明による組み立て式家具に適用される補助固定部材の第３実施例を示した正面図である。
【００５３】
図１２を参照すると、組み立て式家具の補助固定部材１１３は、二つの平行な挿入部１２１，１２２と、二つの平行な挿入部１２１，１２２の間を連結する連結部１２３とを含んで構成される。
【００５４】
補助固定部材の第２実施例に係る補助固定部材１１３は、図１１のように断面に結合溝を備えた収納モジュールの固定に使用されることが好ましい。すなわち、補助固定部材１１３の挿入部１２１，１２２を収納モジュールの断面に形成された固定溝１１６ａ，１１７ａに挿入することで、二つの収納モジュールをより安定的に結合できるようになる。
【００５５】
一方、二つの収納モジュールを結合するとき、各挿入部１２１，１２２が対向する方向に引力を作用させるために、補助固定部材１１３の連結部１２３は弾性材質からなることが好ましい。一方、挿入部１２１，１２２の大きさは、収納モジュールの断面に形成された固定溝と圧入方式で結合できる大きさを有することが好ましい。
【００５６】
図１３は、収納モジュールにおいて第１ブロックと第２ブロックとの結合形態を示した斜視図である。
【００５７】
図１３を参照すると、収納モジュール１３の第１ブロック１３１と第２ブロック１３２は、それぞれ‘逆コの字'形状を有しており、両端部が互いに結合されて一つの収納モジュール１３を形成する。このとき、図１３に示すように、第１ブロック１３１と第２ブロック１３２の両端には、互いに逆Ｌ字形態１３１ａ，１３１ｂ及びＬ字形態１３２ａ，１３２ｂからなる突出部が形成され、これら突出部が互いに圧入方式で結合されることで、別途のねじやピン形態の結合部材なしにも収納モジュール１３を形成することができる。
【００５８】
また、第１ブロック１３１に弾性材質を有する固定突起１３３ａ，１３３ｂを形成し、第２ブロック１３２に固定溝１３４ａ，１３４ｂを形成し、第１ブロック１３１と第２ブロック１３２の両端が完全に結合された場合、固定突起１３３ａ，１３３ｂと固定溝１３４ａ，１３４ｂとの結合によって前後方向の滑りを防止することができる。固定突起と固定溝は、接合面の中央に一つ形成されることが好ましいが、接合面の中央から左右に偏るように形成されたり、多数の固定突起及び固定溝が形成されることも可能である。
【００５９】
一方、図１３に示すように、収納モジュールの外表面に形成された凹凸部１３５ａ，１３５ｂは、外表面の両側縁部に沿って長さ方向に所定の幅を有するように形成され、外表面の中央部は凹凸のない平面に形成されることもある。一方、図面には示していないが、外表面の両側縁部は凹凸のない平面に形成され、外表面の中央部に長さ方向に沿って所定の幅を有する凹凸部が形成されることもある。
【図１】
2010528682.tif 000004
【図２】
2010528682.tif 000005
【図３】
2010528682.tif 000006
【図４】
2010528682.tif 000007
【図５】
2010528682.tif 000008
【図６】
2010528682.tif 000009
【図７】
2010528682.tif 000010
【図８】
2010528682.tif 000011
【図９】
2010528682.tif 000012
【図１０】
2010528682.tif 000013
【図１１】
2010528682.tif 000014
【図１２】
2010528682.tif 000015
【図１３】
2010528682.tif 000016
【国際調査報告】
2010528682.tif 000017
2010528682.tif 000018